【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
動画像を構成する各ピクチャを、フレーム内予測符号化方式、フレーム間予測符号化方式のいずれかを用いて符号化する符号化装置であって、
各ピクチャに適用する符号化方式を選択する制御手段と、
前記制御手段が選択した符号化方式に基づいて各ピクチャを符号化する符号化手段とを有し、
前記制御手段が、
予め定められた周期に対応する各ピクチャに対しては、前記フレーム内予測符号化方式を選択するかどうかを予め定められた基準に従って判断し、前記フレーム内予測符号化方式を選択すると判断した場合には前記フレーム内予測符号化方式を選択し、前記フレーム内予測符号化方式を選択しないと判断した場合には参照先画像が前記予め定められた周期に対応する他のピクチャに制限された前記フレーム間予測符号化方式を選択するとともに、
残りのピクチャについては、前記フレーム内予測符号化方式又は、参照先画像に前記制限のない前記フレーム間予測符号化方式のいずれかを選択することを特徴とする符号化装置。
【請求項２】
前記ピクチャを連続する予め定められた数毎にグループとして管理する管理手段を更に有し、
前記制御手段が、
前記予め定められた周期に対応するピクチャに対して前記参照先画像が制限されたフレーム間予測符号化方式を選択する際には、前記参照先画像を、当該ピクチャと同一グループに属し、かつ前記予め定められた周期に対応する他のピクチャに制限することを特徴とする請求項１記載の符号化装置。
【請求項３】
前記制御手段が、前記予め定められた周期に対応するピクチャに対して前記参照先画像が制限されたフレーム間予測符号化方式を選択する際、前記参照先画像を、当該ピクチャよりも時間的に先行するピクチャとすることを特徴とする請求項１又は請求項２記載の符号化装置。
【請求項４】
前記制御手段が、前記動画像を構成するピクチャのうち、前記予め定められた周期に対応するピクチャのｎピクチャ（ｎは自然数）置きのピクチャの各々に対して予め定めた時間内のピクチャについても、前記予め定められた周期に対応するピクチャと同様の符号化方式の選択を行うことを特徴とする請求項１乃至請求項３のいずれか１項に記載の符号化装置。
【請求項５】
前記符号化手段が符号化したデータに、適用された符号化方式を表す情報を付加して出力する出力手段を更に有することを特徴とする請求項１乃至請求項４のいずれか１項に記載の符号化装置。
【請求項６】
符号化された動画像情報を受信し、復号化する復号化装置であって、
前記符号化された動画像情報は、フレーム内予測符号化方式で符号化された第１のピクチャ、参照先画像が制限されたフレーム間予測符号化方式で符号化された第２のピクチャ及び、参照先画像が制限されていないフレーム間予測符号化方式で符号化された第３のピクチャから構成される符号化データと、各ピクチャの符号化に用いられた符号化方式を表す情報とを含み、前記第２のピクチャの前記参照先画像が前記第１のピクチャもしくは他の第２のピクチャに制限され、
前記符号化された動画像情報から、前記符号化方式を表す情報を取得する取得手段と、
前記取得手段が取得した前記符号化方式を表す情報に基づいて、前記符号化された動画像情報に含まれる符号化データを復号化する復号化手段と、
高速再生の実行指示を検出する検出手段と、
前記検出手段が前記高速再生の実行指示を検出した場合には、前記符号化データのうち、前記第１及び第２のピクチャのみを前記復号化手段に復号化させ、前記検出手段が前記高速再生の実行指示を検出しない場合には、前記復号化手段に前記第１、第２及び第３のピクチャを復号化させる再生制御手段を有することを特徴とする復号化装置。
【請求項７】
さらに、前記復号化の結果得られる動画像情報を表示する表示手段を有し、
前記再生制御手段が、
前記検出手段が前記高速再生の実行指示を検出した場合には、前記符号化された動画像情報を構成する複数のピクチャが前記高速再生の速度に対応した一定間隔で表示されるように、前記第１及び第２のピクチャの一部を選択し、当該選択されたピクチャから得られる動画像情報を前記表示手段に表示させることを特徴とする請求項６記載の復号化装置。
【請求項８】
前記再生制御手段が、前記高速再生の速度が予め定められた速度を超える場合、前記選択された第１及び第２のピクチャに加え、選択された第１及び第２のピクチャに対して予め定めた時間内の、他の第１又は第２のピクチャから得られる動画像情報も前記表示手段に表示させることを特徴とする請求項７記載の復号化装置。
【請求項９】
動画像を構成する各ピクチャを、フレーム内予測符号化方式、フレーム間予測符号化方式のいずれかを用いて符号化する符号化方法であって、
制御手段が、各ピクチャに適用する符号化方式を選択する制御ステップと、
符号化手段が、前記制御ステップで選択された符号化方式に基づいて各ピクチャを符号化する符号化ステップとを有し、
前記制御ステップでは、
予め定められた周期に対応する各ピクチャに対しては、前記フレーム内予測符号化方式を選択するかどうかを予め定められた基準に従って判断し、前記フレーム内予測符号化方式を選択すると判断した場合には前記フレーム内予測符号化方式を選択し、前記フレーム内予測符号化方式を選択しないと判断した場合には参照先画像が前記予め定められた周期に対応する他のピクチャに制限された前記フレーム間予測符号化方式を選択するとともに、
残りのピクチャについては、前記フレーム内予測符号化方式又は、参照先画像に前記制限のない前記フレーム間予測符号化方式のいずれかを選択することを特徴とする符号化方法。
【請求項１０】
符号化された動画像情報を受信し、復号化する復号化方法であって、
前記符号化された動画像情報は、フレーム内予測符号化方式で符号化された第１のピクチャ、参照先画像が制限されたフレーム間予測符号化方式で符号化された第２のピクチャ及び、参照先画像が制限されていないフレーム間予測符号化方式で符号化された第３のピクチャから構成される符号化データと、各ピクチャの符号化に用いられた符号化方式を表す情報とを含み、前記第２のピクチャの前記参照先画像が前記第１のピクチャもしくは他の第２のピクチャに制限され、
取得手段が、前記符号化された動画像情報から、前記符号化方式を表す情報を取得する取得ステップと、
復号化手段が、前記取得ステップが取得した前記符号化方式を表す情報に基づいて、前記符号化された動画像情報に含まれる符号化データを復号化する復号化ステップと、
検出手段が、高速再生の実行指示を検出する検出ステップと、
再生制御手段が、前記検出ステップが前記高速再生の実行指示を検出した場合には、前記符号化データのうち、前記第１及び第２のピクチャのみを前記復号化ステップで復号化させ、前記検出ステップが前記高速再生の実行指示を検出しない場合には、前記復号化ステップで前記第１、第２及び第３のピクチャを復号化させる再生制御ステップを有することを特徴とする復号化方法。
【請求項１１】
コンピュータを、請求項１乃至請求項５のいずれか１項に記載の符号化装置の各手段として機能させるためのプログラム。
【請求項１２】
コンピュータを、請求項６乃至請求項８のいずれか１項に記載の復号化装置の各手段として機能させるためのプログラム。
【請求項１３】
請求項１１又は請求項１２に記載のプログラムの少なくとも一方を格納したコンピュータ読み取り可能な記録媒体。
【手続補正２】
【補正対象書類名】明細書
【補正対象項目名】００１４
【補正方法】変更
【補正の内容】
【００１４】
すなわち、上述の目的は、動画像を構成する各ピクチャを、フレーム内予測符号化方式、フレーム間予測符号化方式のいずれかを用いて符号化する符号化装置であって、各ピクチャに適用する符号化方式を選択する制御手段と、制御手段が選択した符号化方式に基づいて各ピクチャを符号化する符号化手段とを有し、制御手段が、予め定められた周期に対応する各ピクチャに対しては、フレーム内予測符号化方式を選択するかどうかを予め定められた基準に従って判断し、フレーム内予測符号化方式を選択すると判断した場合にはフレーム内予測符号化方式を選択し、フレーム内予測符号化方式を選択しないと判断した場合には参照先画像が予め定められた周期に対応する他のピクチャに制限されたフレーム間予測符号化方式を選択するとともに、残りのピクチャについては、フレーム内予測符号化方式又は、参照先画像に制限のないフレーム間予測符号化方式のいずれかを選択することを特徴とする本発明の符号化装置によって達成される。
【手続補正３】
【補正対象書類名】明細書
【補正対象項目名】００１５
【補正方法】変更
【補正の内容】
【００１５】
また、上述の目的は、符号化された動画像情報を受信し、復号化する復号化装置であって、符号化された動画像情報は、フレーム内予測符号化方式で符号化された第１のピクチャ、参照先画像が制限されたフレーム間予測符号化方式で符号化された第２のピクチャ及び、参照先画像が制限されていないフレーム間予測符号化方式で符号化された第３のピクチャから構成される符号化データと、各ピクチャの符号化に用いられた符号化方式を表す情報とを含み、第２のピクチャの参照先画像が第１のピクチャもしくは他の第２のピクチャに制限され、符号化された動画像情報から、符号化方式を表す情報を取得する取得手段と、取得手段が取得した符号化方式を表す情報に基づいて、符号化された動画像情報に含まれる符号化データを復号化する復号化手段と、高速再生の実行指示を検出する検出手段と、検出手段が高速再生の実行指示を検出した場合には、符号化データのうち、第１及び第２のピクチャのみを復号化手段に復号化させ、検出手段が高速再生の実行指示を検出しない場合には、復号化手段に第１、第２及び第３のピクチャを復号化させる再生制御手段を有することを特徴とする本発明の復号化装置によっても達成される。
【手続補正４】
【補正対象書類名】明細書
【補正対象項目名】００１６
【補正方法】変更
【補正の内容】
【００１６】
また、上述の目的は、動画像を構成する各ピクチャを、フレーム内予測符号化方式、フレーム間予測符号化方式のいずれかを用いて符号化する符号化方法であって、制御手段が、各ピクチャに適用する符号化方式を選択する制御ステップと、符号化手段が、制御ステップで選択された符号化方式に基づいて各ピクチャを符号化する符号化ステップとを有し、制御ステップでは、予め定められた周期に対応する各ピクチャに対しては、フレーム内予測符号化方式を選択するかどうかを予め定められた基準に従って判断し、フレーム内予測符号化方式を選択すると判断した場合にはフレーム内予測符号化方式を選択し、フレーム内予測符号化方式を選択しないと判断した場合には参照先画像が予め定められた周期に対応する他のピクチャに制限されたフレーム間予測符号化方式を選択するとともに、残りのピクチャについては、フレーム内予測符号化方式又は、参照先画像に制限のないフレーム間予測符号化方式のいずれかを選択することを特徴とする本発明の符号化方法によっても達成される。
【手続補正５】
【補正対象書類名】明細書
【補正対象項目名】００１７
【補正方法】変更
【補正の内容】
【００１７】
また、上述の目的は、符号化された動画像情報を受信し、復号化する復号化方法であって、符号化された動画像情報は、フレーム内予測符号化方式で符号化された第１のピクチャ、参照先画像が制限されたフレーム間予測符号化方式で符号化された第２のピクチャ及び、参照先画像が制限されていないフレーム間予測符号化方式で符号化された第３のピクチャから構成される符号化データと、各ピクチャの符号化に用いられた符号化方式を表す情報とを含み、第２のピクチャの参照先画像が第１のピクチャもしくは他の第２のピクチャに制限され、取得手段が、符号化された動画像情報から、符号化方式を表す情報を取得する取得ステップと、復号化手段が、取得ステップが取得した符号化方式を表す情報に基づいて、符号化された動画像情報に含まれる符号化データを復号化する復号化ステップと、検出手段が、高速再生の実行指示を検出する検出ステップと、再生制御手段が、検出ステップが高速再生の実行指示を検出した場合には、符号化データのうち、第１及び第２のピクチャのみを復号化ステップで復号化させ、検出ステップが高速再生の実行指示を検出しない場合には、復号化ステップで第１、第２及び第３のピクチャを復号化させる再生制御ステップを有することを特徴とする本発明の復号化方法によっても達成される。
【手続補正６】
【補正対象書類名】明細書
【補正対象項目名】００２４
【補正方法】変更
【補正の内容】
【００２４】
次に、特殊再生動作に関して説明する。ユーザがＵＩ処理部１０を介して特殊再生の開始を指示すると、制御部２０は再生処理部５００、復号化処理部６００及び映像出力部７００を制御して特殊再生処理を開始する。
【手続補正７】
【補正対象書類名】明細書
【補正対象項目名】００６３
【補正方法】変更
【補正の内容】
【００６３】
スイッチ部６３５は予測方式制御部６８０により制御され、加算器６１８の出力（復号された画像データ）を、第３フレームメモリ（ＦＭ）６３６又はデブロッキングフィルタ部（ＤＢＦ）６５０のいずれかへ出力する。第３フレームメモリ６３６は、スイッチ部６３５から供給される、復号された画像データを保持する。イントラ予測復号化部６４０は、第３フレームメモリ６３６に保持された画像データを用いて、復号化処理されるブロックの周辺画素からブロック内の画像データを予測する。スイッチ部６６０は、予測方式制御部６８０により制御され、イントラ予測復号化部６４０又はインター予測復号化部６５６のいずれかの出力を加算器６１８へ出力する。
【手続補正８】
【補正対象書類名】明細書
【補正対象項目名】００６８
【補正方法】変更
【補正の内容】
【００６８】
まず、逆量子化部６１４で、エントロピー復号化された画像データを所定の量子化スケールで逆量子化し、整数変換係数を生成する。この整数変換係数に対して逆整数変換部６１６で逆整数変換を施すことで、画素データが復元される。復元された画素データは後述する予測画像データを加算器６１８で加算して、最終的な復号結果である画像データを生成する。この復号画像データは、出力部６２０から出力される。